(57)【要約】【課題】内視鏡用バルーン等のバルーンを内視鏡挿入部等に簡単に取付けることができるバルーン取付け治具を提供することにある。【解決手段】内視鏡１の挿入部２に、円筒状で両端に開口部を有する内視鏡用バルーン１９を取付けるバルーン取付け治具２４であって、前記内視鏡１の挿入部２に外嵌可能な内腔を有する取付け治具本体２５の両端部に、該取付け治具本体２５の内腔に挿入される内視鏡用バルーン１９の前記開口部１９ａ，１９ｂを保持する保持部としての係合溝２６を設けたことを特徴とする。【選択図】  図３
2005230084.tif 000002
【特許請求の範囲】
【請求項１】
バルーン被取付け部材に、円筒状で両端に開口部を有するバルーンを取付けるバルーン取付け治具であって、
前記バルーン被取付け部材に外嵌可能な内腔を有する取付け治具本体の両端部に、該取付け治具本体の内腔に挿入したバルーンの開口部を保持することができる保持部を設けたことを特徴とするバルーン取付け治具。
【請求項２】
前記バルーン被取付け部材は、内視鏡の挿入部であることを特徴とする請求項１記載のバルーン取付け治具。
【請求項３】
前記保持部は、前記取付け治具本体の両端部における外周部に設けられ、前記バルーンの開口部がバルーン本体に対して外側に折り返されて係合する係合溝であることを特徴とする請求項１記載のバルーン取付け治具。
【請求項４】
前記取付け治具本体は、該取付け治具本体の内周面と前記バルーンの外周面との間を負圧にする吸引口を有していることを特徴とする請求項１記載のバルーン取付け治具。
【請求項５】
前記取付け治具本体は、該取付け治具本体の内周面と前記バルーンの外周面との間を負圧にして前記バルーンを取付け治具本体の内周面に密着した状態で封止したことを特徴とする請求項１記載のバルーン取付け治具。
【請求項６】
円筒状で両端に開口部を有するバルーンを取付ける筒状のバルーン取付け治具と、
前記バルーン取付け治具の両端部に設けられ、該バルーン取付け治具の内腔に挿入されたバルーンの前記開口部を保持する保持部と、
前記バルーン取付け治具の内周面と前記バルーンの外周面との間を負圧にして前記バルーンをバルーン取付け治具の内周面に密着した状態に保持する封止手段と、
を具備したことを特徴とするバルーンセット。
【発明の詳細な説明】
【技術分野】
【０００１】
この発明は、経口的または経肛門的に体腔内に挿入して体腔内を観察する内視鏡や処置具に取付けられるバルーンの取付け治具に関する。
【背景技術】
【０００２】
医療用内視鏡を体腔内の深部消化管腔、例えば小腸へ挿入する場合の手技として、経口的に挿入する場合と経肛門的に挿入する場合とがある。いずれにしても、腸管は複雑に屈曲をしているために、体腔外で内視鏡の挿入部を押し進めても、挿入部の先端部に力が伝わり難く、深部へ挿入することは困難である。
【０００３】
そこで、内視鏡の挿入部を複雑に屈曲した腸管にスムーズに挿入できるように、内視鏡の先端部に内視鏡用バルーンを設けると共に、内視鏡挿入部に外挿したオーバチューブ（スライディグチューブ）の先端部にオーバチューブ用バルーンを設けたダブルバルーン式内視鏡システムが知られている（例えば、特許文献１参照。）。
【０００４】
これは、内視鏡挿入部を深部に挿入する際のガイドとしての役目を果たすオーバチューブを腸管の深部まで挿入した後、オーバチューブ用バルーンを膨らましてオーバチューブ用バルーンを腸管に固定し、この状態で、オーバチューブを後退させることにより、腸管の撓みをとって内視鏡挿入部をより深部に挿入するようになっている。
【０００５】
また、オーバチューブ用バルーンを膨らましてオーバチューブを腸管に固定する際に、腸管等に負担を掛けないように、バルーンの材質をラテックスのように軟質のものにしたもの、またバルーンの内圧を測定して圧力を制御できるようにしたものも知られている（例えば、特許文献２，３参照。）。
【特許文献１】特開平１１−２９０２６３号公報
【特許文献２】特開２００１−３４０４６２号公報
【特許文献３】特開２００２−３０１０１９号公報
【発明の開示】
【発明が解決しようとする課題】
【０００６】
しかしながら、ユーザーが必要に応じて内視鏡挿入部の遠位端に内視鏡用バルーンを取付けてバルーン付き内視鏡を構成しようとする場合、内視鏡用バルーンの取付け作業が煩雑であり、取付け作業性が悪いという問題がある。
【０００７】
この発明は、前記事情に着目してなされたもので、その目的とするところは、内視鏡用バルーン等のバルーンを内視鏡挿入部等のバルーン被取付け部材に簡単に取付けることができるバルーン取付け治具を提供することにある。
【課題を解決するための手段】
【０００８】
この発明は、前記目的を達成するために、請求項１は、バルーン被取付け部材に、円筒状で両端に開口部を有するバルーンを取付けるバルーン取付け治具であって、前記バルーン被取付け部材に外嵌可能な内腔を有する取付け治具本体の両端部に、該取付け治具本体の内腔に挿入したバルーンの開口部を保持することができる保持部を設けたことを特徴とする。
【０００９】
請求項２は、請求項１の前記バルーン被取付け部材は、内視鏡の挿入部であることを特徴とする。
【００１０】
請求項３は、請求項１の前記保持部は、前記取付け治具本体の両端部における外周部に設けられ、前記バルーンの開口部がバルーン本体に対して外側に折り返されて係合する係合溝であることを特徴とする。
【００１１】
請求項４は、請求項１の前記取付け治具本体は、該取付け治具本体の内周面と前記バルーンの外周面との間を負圧にする吸引口を有していることを特徴とする。
【００１２】
請求項５は、請求項１の前記取付け治具本体は、該取付け治具本体の内周面と前記バルーンの外周面との間を負圧にして前記バルーンを取付け治具本体の内周面に密着した状態で封止したことを特徴とする。
【００１３】
請求項６は、円筒状で両端に開口部を有するバルーンを取付ける筒状のバルーン取付け治具と、前記バルーン取付け治具の両端部に設けられ、該バルーン取付け治具の内腔に挿入されたバルーンの前記開口部を保持する保持部と、前記バルーン取付け治具の内周面と前記バルーンの外周面との間を負圧にして前記バルーンをバルーン取付け治具の内周面に密着した状態に保持する封止手段とを具備したことを特徴とするバルーンセットにある。
【発明の効果】
【００１４】
この発明によれば、内視鏡の挿入部等にユーザーが内視鏡用バルーンを簡単に取付けることができるという効果がある。
【発明を実施するための最良の形態】
【００１５】
以下、この発明の各実施の形態を図面に基づいて説明する。
【００１６】
図１〜図４は第１の実施形態であり、図１はダブルバルーン式内視鏡の全体の側面図、図２は挿入部の先端部の縦断側面図、図３はバルーン取付け治具の縦断側面図、図４は作用説明図である。
【００１７】
図１及び図２に示すように、例えば、小腸用の内視鏡１は細長い軟性の挿入部２を有しており、挿入部２の遠位端（先端側）には湾曲部３を介して先端構成部４が設けられている。挿入部２の近位端（基端側）には操作部５が設けられており、この操作部５にはアングル操作ノブ６が設けられている。さらに、操作部５は遠位端にコネクタ７を有するユニバーサルコード８が接続されている。
【００１８】
挿入部２には鉗子チャンネル、先端構成部４には照明光学系、固体撮像素子等の観察光学系（いずれも図示しない）が設けられ、挿入部２には鉗子チャンネル９が設けられ、この鉗子チャンネル９は操作部５の処置具挿入口１０と連通している。
【００１９】
前記挿入部２には、該挿入部２に外挿される内視鏡用オーバチューブ１１が設けられ、このオーバチューブ本体１２の遠位端にはオーバチューブ用バルーン１３が、近位端には把持部１４が設けられている。さらに、オーバチューブ用バルーン１３には第１の送気チューブ１５の一端部が接続され、この他端部にはエアポンプ等のエア供給源（図示しない）に接続される接続口１６が設けられている。
【００２０】
内視鏡１の先端構成部４及び湾曲部３の外周部にはその周方向に後述する内視鏡用バルーン１９を取付けるための一対の環状溝１８ａ，１８ｂが設けられている。環状溝１８ａ，１８ｂには内視鏡用バルーン１９がその弾性を利用して嵌合固定されている。
【００２１】
内視鏡用バルーン１９は、ゴムまたは合成樹脂材料からなる弾性体であり、円筒状に形成され、その両端部には開口部１９ａ，１９ｂが設けられている。これら開口部１９ａ，１９ｂには環状溝１８ａ，１８ｂに弾性的に係合固定される環状凸部２０ａ，２０ｂが一体に設けられている。すなわち、内視鏡用バルーン１９は、後述するバルーン取付け治具によって拡径方向に押し広げた状態で、内視鏡１の先端構成部４の前端部から嵌合することにより装着される。
【００２２】
さらに、内視鏡１の先端構成部４には内視鏡用バルーン１９の内部に開口する挿通孔２１が設けられ、この挿通孔２１には挿入部２の内部に突出する接続管２２が設けられている。そして、この接続管２２には挿入部２に内挿された送気管路９の遠位端が接続されている。従って、挿通孔２１は送気管路９を介して操作部５を経てユニバーサルコード８に内挿し、コネクタ７に設けられた送気接続口２３に接続されており、送気管路９が外部に露出しないため、手技の邪魔にならないという効果がある。また、内視鏡１のコネクタ７に設けられた送気接続口２３は送気チューブ（図示しない）を介してエア供給源（図示しない）に接続されている。
【００２３】
図３はバルーン取付け治具２４を示し、取付け治具本体２５は、合成樹脂または金属材料によって、前記内視鏡１の挿入部２に外嵌可能な内径を有する円筒体に形成されている。この取付け治具本体２５の中間部は把持部となる大径部２５ａに、両端部には小径部２５ｂに形成されている。この取付け治具本体２５の両端部には鍔部２５cが形成され、この鍔部２５ｃの内側に保持部としての係合溝２６が設けられている。さらに、取付け治具本体２５の大径部２５ａの一部には取付け治具本体２５の内腔に連通する吸引孔２７が設けられ、この吸引孔２７にはルアーロック形状の口金２８が設けられている。この口金２８にはシリンジが接続されるようになっている。
【００２４】
従って、内視鏡用バルーン１９を内視鏡１の挿入部２に装着する際には、まず、内視鏡用バルーン１９を取付け治具本体２５の内腔に挿入する。そして、内視鏡用バルーン１９の両端の開口部１９ａ，１９ｂを内視鏡用バルーン１９自体の弾性力に抗して拡径方向に広げた後、外側に捲るようにしてに内視鏡用バルーン１９の環状凸部２０ａ，２０ｂを取付け治具本体２５の係合溝２６に係合する。
【００２５】
このとき、内視鏡用バルーン１９の弾性力によって環状凸部２０ａ，２０ｂが係合溝２６に密着するため、内視鏡用バルーン１９は取付け治具本体２５と一体的となり、気密状態となる。この状態で、吸引孔２７からシリンジを用いて真空吸引すると、取付け治具本体２５の内周面と内視鏡用バルーン１９の外周面との間は負圧となり、内視鏡用バルーン１９が取付け治具本体２５の内周面に密着する。
【００２６】
次に、内視鏡用バルーン１９を密着した取付け治具本体２５を内視鏡１の挿入部２の先端構成部４側から外嵌し、取付け治具本体２５の両端開口を先端構成部４の環状溝１８ａと湾曲部３の環状溝１８ｂに位置決めする。この状態で、シリンジを取り外して吸引孔２７を介して取付け治具本体２５の内周面と内視鏡用バルーン１９の外周面との間を大気解放すると、内視鏡用バルーン１９は取付け治具本体２５の内周面から離間する。
【００２７】
次に、取付け治具本体２５の係合溝２６に係合している環状凸部２０ａ，２０ｂを内側に捲りを戻すようにして係合溝２６から取り外すと、環状凸部２０ａが先端構成部４の環状溝１８ａに弾性係合し、環状凸部２０ｂが湾曲部３の環状溝１８ｂに弾性係合する。内視鏡用バルーン１９を内視鏡１の装着した後は、内視鏡用バルーン１９は取付け治具本体２５と分離されるため、取付け治具本体２５を挿入部２の先端構成部４側から抜取ることができる。内視鏡用バルーン１９はそれ自体の弾性力によって環状溝１８ａ，１８ｂに密着するため、固定部材を設けることなく、簡単かつ強固に固定できる。
【００２８】
次に、ダブルバルーン式内視鏡の作用について説明する。
【００２９】
図４はダブルバルーン式内視鏡を経口的に小腸に挿入して腸管の内壁を観察する手技を示し、ａは食道、ｂは胃、ｃは小腸を示す。まず、内視鏡１の挿入部２にオーバチューブ本体１２を挿通し、内視鏡用バルーン１９及びオーバチューブ用バルーン１３のエアを抜いて収縮状態とする。
【００３０】
次に、図４（Ａ）に示すように、内視鏡１の挿入部２を患者の口から体腔内に挿入し、操作部５のアングル操作ノブ６を操作して湾曲部３を湾曲操作しながら、挿入部２を食道ａ、胃ｂを経て小腸ｃに挿入する。そして、内視鏡１の挿入部２の先端構成部４が例えば十二指腸を通過したところで、リモートコントローラ等を操作してエア供給源を駆動する。
【００３１】
そして、図４（Ｂ）に示すように、送気チューブを介して内視鏡用バルーン１９にエアを供給して内視鏡用バルーン１９を膨張させると、内視鏡用バルーン１９が小腸cの内壁に圧接し、内視鏡１の先端構成部４が小腸cに固定される。この状態で、オーバチューブ本体１２の把持部１４を把持してオーバチューブ本体１２を挿入部２に沿って前進させると、オーバチューブ本体１２の遠位端が内視鏡用バルーン１９の後端部まで導かれる。
【００３２】
次に、図４（Ｃ）に示すように、再びリモートコントローラ等を操作してエア供給源から第１の送気チューブ１５を介してオーバチューブ用バルーン１３にエアが供給される。従って、オーバチューブ用バルーン１３が膨張して小腸cの内壁に圧接し、オーバチューブ本体１２の遠位端が固定される。この状態で、オーバチューブ本体１２の把持部１４を把持して内視鏡１の挿入部２と一体的にオーバチューブ本体１２を手元側に後退させると、その引張り力によってオーバチューブ本体１２と共に挿入部２の曲率半径が大きく、略直線状態になるため、小腸cの余分な撓みを取って小腸cを短くすることができる。
【００３３】
次に、図４（Ｄ）に示すように、内視鏡用バルーン１９のエアを抜いて収縮した状態とし、内視鏡１の挿入部２を小腸cの深部に向って押し進めると、挿入部２はオーバチューブ本体１２に案内されながら小腸cの深部に向って挿入される。
【００３４】
そして、内視鏡１の挿入部２の先端構成部４が小腸cの所望の位置まで前進したところで、図４（Ｅ）に示すように、再び送気チューブを介して内視鏡用バルーン１９にエアを供給して内視鏡用バルーン１９を膨張させて内視鏡用バルーン１９を小腸cの内壁に圧接して先端構成部４を固定する。
【００３５】
この状態で、オーバチューブ用バルーン１３のエアを抜いて収縮した状態とし、オーバチューブ本体１２の把持部１４を把持してオーバチューブ本体１２を挿入部２に沿って前進させる。そして、オーバチューブ本体１２の遠位端が内視鏡用バルーン１９の後端部まで到達したところで、図４（Ｆ）に示すように、再びオーバチューブ用バルーン１３を膨張させる。
【００３６】
この操作を繰り返すことにより、内視鏡１の先端構成部４を小腸ｃの深部まで挿入することができる。また、手技の際にオーバチューブ本体１２を内視鏡１の挿入部２に沿って頻繁に進退操作するが、送気チューブと接続する送気管路９は挿入部２に内挿されているため、オーバチューブ本体１２を円滑に進退させることができるとともに、送気管路系が手技の邪魔にならない。
【００３７】
なお、図４はダブルバルーン式内視鏡を経口的に小腸に挿入する手技を示したが、ダブルバルーン式内視鏡を経肛門的に大腸を経て小腸に挿入する場合においても基本的に同じである。
【００３８】
図５は第２の実施形態を示し、第１の実施形態と同一構成部分は同一番号を付して説明を省略する。図５（Ａ）は内視鏡用バルーン及びオーバチューブ本体の縦断側面図、（Ｂ）はＸ−Ｘ線に沿う断面図である。本実施形態は、内視鏡１の挿入部２に装着された内視鏡用バルーン１９の最大外径Ａ、挿入部２に外嵌されたオーバチューブ本体１２の内径をＢとしたとき、Ｂ＞Ａとしたものである。このように構成することによって、挿入部２に内視鏡用バルーン１９を装着した状態でもオーバチューブ本体１２の挿脱が可能となる。
【００３９】
また、オーバチューブ本体１２の内周面には軸方向の全長に亘ってリブ２９を設けたものである。このように、オーバチューブ本体１２の内周面にリブ２９を設けることによって内視鏡１の挿入部２とオーバチューブ本体１２との摩擦抵抗を低減でき、操作性を向上できる。
【００４０】
図６は第３の実施形態を示し、第１の実施形態と同一構成部分は同一番号を付して説明を省略する。図６は内視鏡用バルーン及びオーバチューブ本体の縦断側面図である。本実施形態は、オーバチューブ本体１２の近位端に設けられた把持部１４に潤滑剤送液用管路３０と体液吸引用管路３１が接続されている。潤滑剤送液用管路３０は潤滑剤供給源（図示しない）に接続され、体液吸引用管路３１は体液吸引源（図示しない）に接続されている。
【００４１】
従って、内視鏡１の挿入部２をオーバチューブ１１と共に小腸ｃ等に挿入する際に、潤滑剤送液用管路３０からオーバチューブ本体１２の内腔に潤滑剤を供給して内視鏡１の挿入部２とオーバチューブ本体１２との摩擦抵抗を低減させ、挿入部２とオーバチューブ本体１２との相対移動を円滑に行うことができる。また、体液吸引用管路３１から吸引することにより、オーバチューブ本体１２の内腔に侵入した体液等を吸引することができる。
【００４２】
図７は第４の実施形態を示し、第１の実施形態と同一構成部分は同一番号を付して説明を省略する。図７はバルーン取付け治具の縦断側面図であり、内視鏡用バルーン１９の弾性力によって環状凸部２０ａ，２０ｂが取付け治具本体２５の係合溝２６に密着されている。さらに、吸引孔２７から真空吸引して取付け治具本体２５の内周面と内視鏡用バルーン１９の外周面との間は負圧にした状態で、吸引孔２７は封止手段としてのキャップ３２によって封止され、内視鏡用バルーン１９と取付け治具本体２５とが一体のバルーンセット３３が構成されている。このバルーンセット３３はこの状態で滅菌することも可能であり、滅菌済みのバルーンセット３３として独立販売も可能である。
【００４３】
バルーンセット３３を内視鏡１の挿入部２に装着する際には、バルーンセット３３の内腔を先端構成部４側から外嵌し、取付け治具本体２５の両端開口を先端構成部４の環状溝１８ａと湾曲部３の環状溝１８ｂに位置決めする。この状態で、吸引孔２７を封止しているキャップ３２を取り外して取付け治具本体２５の内周面と内視鏡用バルーン１９の外周面との間を大気解放すると、内視鏡用バルーン１９は取付け治具本体２５の内周面から離間し、第１の実施形態と同様に内視鏡１に取付けることができる。
【００４４】
なお、前記各実施形態においては、内視鏡１の挿入部２に装着する内視鏡用バルーン１９について説明したが、処置具やオーバチューブ等のバルーン被取付け部材にバルーンを装着するバルーン取付け治具としても適用できる。
【００４５】
前記各実施形態によれば、次のような構成が得られる。
【００４６】
（付記１）バルーン被取付け部材に、円筒状で両端に開口部を有するバルーンを取付けるバルーン取付け治具であって、前記バルーン被取付け部材に外嵌可能な内腔を有する取付け治具本体の両端部に、該取付け治具本体の内腔に挿入されるバルーンの前記開口部を保持する保持部を設けたことを特徴とするバルーン取付け治具。
【００４７】
（付記２）前記取付け治具本体は、円筒形で、中間部に大径の把持部を有していることを特徴とする付記１記載のバルーン取付け治具。
【００４８】
（付記３）前記保持部は、取付け治具本体の外周に環状に形成された係合溝であり、バルーンの開口部に形成された環状凸部が係合されることを特徴とする付記１記載のバルーン取付け治具。
【００４９】
（付記４）円筒状で両端に開口部を有するバルーンを取付ける筒状のバルーン取付け治具と、前記バルーン取付け治具の両端部に設けられ、該バルーン取付け治具の内腔に挿入されたバルーンの前記開口部を保持する保持部と、前記バルーン取付け治具の内周面と前記バルーンの外周面との間を負圧にして前記バルーンをバルーン取付け治具の内周面に密着した状態に保持する封止手段とを具備したことを特徴とするバルーンセット。
【００５０】
（付記５）前記封止手段は、前記バルーン取付け治具の内周面と前記バルーンの外周面との間を真空吸引する吸引孔と、この吸引孔を封止して負圧状態に保つキャップであることを特徴とする付記４記載のバルーンセット。
【００５１】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００５２】
【図１】この発明の第１の実施形態を示すダブルバルーン式内視鏡の全体の側面図。
【図２】同実施形態の挿入部の先端部の縦断側面図。
【図３】同実施形態のバルーン取付け治具の縦断側面図。
【図４】同実施形態を示し、（Ａ）〜（Ｆ）はダブルバルーン式内視鏡の作用説明図。
【図５】この発明の第２の実施形態を示し、（Ａ）は内視鏡用バルーン及びオーバチューブ本体の縦断側面図、（Ｂ）はＸ−Ｘ線に沿う断面図。
【図６】この発明の第３の実施形態を示し、内視鏡用バルーン及びオーバチューブ本体の縦断側面図。
【図７】この発明の第４の実施形態を示し、バルーン取付け治具の縦断側面図。
【符号の説明】
【００５３】
１…内視鏡、２…挿入部、３…湾曲部、４…先端構成部、６…操作部、１２…オーバチューブ本体、１３…オーバチューブ用バルーン、１９…内視鏡用バルーン、１９ａ，１９ｂ…開口部、２０ａ，２０ｂ…環状凸部、２４…バルーン取付け治具、２５…取付け治具本体、２６…係合溝（保持部）
【図１】
2005230084.tif 000003
【図２】
2005230084.tif 000004
【図３】
2005230084.tif 000005
【図４】
2005230084.tif 000006
【図５】
2005230084.tif 000007
【図６】
2005230084.tif 000008
【図７】
2005230084.tif 000009